(57)【特許請求の範囲】
【請求項１】
中央に筒状の係合脚を形成するとともに、該係合脚の基端から全周囲にフランジ部を形成した雄リング部材と、前記係合脚が嵌合する嵌合孔を備えた雌リング部材とからなり、雌リング部材及び雄リング部材の双方の対向する位置に、取付生地を挟むための雄側狭持用平滑面及び雌側狭持用平滑面を各部材円周状に形成し、前記雄リング部材と雌リング部材の相互の外周縁部によって取付生地を挟みこんで止着するハトメにおいて、
雌リング部材（１）は、前記雌側狭持用平滑面（１２）の側周縁部（１４）に連続して起立する複数の生地貫通片（１１）を形成し、該生地貫通片（１１）は中央部近傍から先端にかけて僅かに内側へ傾倒した形状で、生地貫通片（１１）は取付生地（３）を貫通して雄リング部材（２）の雄側挟持用平滑面（２２）で、生地貫通片（１１）の先端をハトメ中央方向に傾倒してかしめると共に、雌側挟持用平滑面（１２）と雄側挟持用平滑面（２２）と先端がハトメ中央方向に傾倒してかしめられた生地貫通片（１１）の三者でもって取付生地（３）を面接触で挟持することを特徴とするハトメ。
【請求項２】
雌リング部材（１）は、雌側狭持用平滑面（１２）の側周縁部（１４）から外側に連続して断面略半円弧状の溝（１７）を形成した補強周縁部（１３）を設けたことを特徴とする請求項１記載のハトメ。
【発明の詳細な説明】
【０００１】
【発明が属する技術分野】
本発明は、カーテン生地の上端側に列設して装着される大型のハトメに関するものである。
【０００２】
【従来の技術】
従来は、図６及び図７に示すように、中央に筒状の係合脚９３を形成するとともに、該係合脚の基端から全周囲にフランジ部９４を形成した雄リング部材９１と、前記係合脚９３と嵌合する嵌合孔９５を備えた雌リング部材９０とからなり、相互の周縁部９６、９７によって取付生地９２を挟んで嵌合固着するハトメ（以下、先行技術１という。）が広く普及している。
【０００３】
しかしながら、上記ハトメは、単に雄リング部材９１と雌リング部材９０との相互の外周縁部９６、９７によって、取付生地９２を挟みこむ構造となっていることから、特に取付生地が薄い場合には、当該取付生地９２に対する狭持力が十分に作用しなくなりやすく、このような場合には取付強度が弱まることから、当該ハトメが取付生地９２から容易に脱落する不具合が生じたり、或いは、雌雄リング部材９０、９１相互が周方向に回動することとなり、品質の低下等の問題を生じるものであった。
【０００４】
このような問題を解決すべく、雌リング部材の生地当接面に対して突起物を形成したハトメが種々開示されており、例えば、実開平２−５４４０８号に開示される考案、即ち、眼孔片状の座体と、この座体に嵌合止着されるハトメ本体とからなり、前記座体の中心孔に前記ハトメ本体が嵌合すべき方向に関して後方に延長しかつ縮径するテーパー状の端縁部を形成し、この端縁部の基端から前記ハトメ本体に対向すべき方向へ突出する小径の円弧状小突起と、これと反対方向へ延長しかつ前記端縁部の先端より突出する頂部を有する円弧状の膨隆部とを形成し、前記円弧状突起の頂面には全周的に分布して刺片を突設し、一方前記ハトメ本体には、前記座体の端縁部の先端に摺接すべき尖鋭な先端部を有する中空円筒状の突縁をそのハトメ本体基部から突設してなるハトメ（以下、先行技術２という。）や、
特開２００２−５１４０号に係る発明、即ち、ハトメ本体に嵌合して取付生地に装着されるハトメ用座金において、内周部が外周部の表面に対して突出して形成されている環状の外形を有し、内周面に径方向に沿った複数の突起（波形突起）が形成されているハトメ用座金を備えたハトメ（以下、先行技術３という。）等が公知である。
【０００５】
【発明が解決しようとする課題】
上記したもののうち、先行技術２に係る考案は、ハトメ本体に対向すべき方向へ突出する小径の円弧状小突起上に刺片を形成したものであり、当該刺片が取付生地に突き刺さり、該取付生地がずれることなく止着され、円弧状突起とハトメ本体との間で取付生地が挟みつけることによって、取付強度を確保するものである。
【０００６】
しかしながら、円弧状突起と、ハトメ本体における取付生地の挟み付け当接部分は、線接触するものであり、更に円弧状突起の上に刺片が形成されていることから、取付生地が実際に十分挟みつけられる部分は極めて僅かに限られることや、取付生地に対して刺片は突き刺さった状態であるものの、当該刺片は生地に引っ掛って食い込む程度の微小なものであるから、挟み付け部分が弛んだり、過度の負荷が作用すると、ハトメ内部で刺片から生地が浮いたり、生地が外れたりすることがあり、取付強度に優れているとは言えなかった。また、この傾向は、先行技術１と同様に、取付生地９２自体に対する狭持力が十分に作用しなくなりやすい薄手の生地であるほど顕著となる。
【０００７】
更に、前記円弧状小突起の上に刺片を形成するという特別の構成によって、生地への取付時における当該ハトメの厚みが大きくなる欠点があった。当該欠点を解消すべく、円弧状突起を平面状とすると、前記刺片と取付生地とを押さえ付ける力が減殺され、刺片は一層取付生地から外れやすくなるという機能的な問題が生ずるため、当該欠点を解消できるものではなかった。
【０００８】
次に、先行技術３に係る発明は、上記したように、内周面に径方向に沿った複数の突起（波形突起）を形成するものであるが、前記先行技術２と同様に、取付生地の挟持は、線接触で行われるものであり、しかも、突起間には大きな空間が形成されることから当該突起間では取付生地を十分に狭持することができず、結局、僅かな線接触部分のみで取付生地を狭持しなければならず、十分にハトメを止着するには至らないものであった。
【０００９】
また、突起による止着をより確実とする場合には、突起の嵩を高くして狭持力を確保することができるが、このような場合には、先行技術２と同様にハトメ全体の厚みが大きくなる欠点があった。
【００１０】
本発明は以上の事情に鑑みてなされたものであり、取付生地に対する取付強度が強く、雌雄リング部材が周方向へ回動しない、薄手のハトメを提供することを課題とするものである。
【００１１】
【課題を解決するための手段】
中央に筒状の係合脚を形成するとともに、該係合脚の基端から全周囲にフランジ部を形成した雄リング部材と、前記係合脚が嵌合する嵌合孔を備えた雌リング部材とからなり、雌リング部材及び雄リング部材の双方の対向する位置に、取付生地を挟むための雄側狭持用平滑面及び雌側狭持用平滑面を各部材円周状に形成し、前記雄リング部材と雌リング部材の相互の外周縁部によって取付生地を挟みこんで止着するハトメにおいて、
雌リング部材（１）は、前記雌側狭持用平滑面（１２）の側周縁部（１４）に連続して起立する複数の生地貫通片（１１）を形成し、該生地貫通片（１１）は中央部近傍から先端にかけて僅かに内側へ傾倒した形状で、生地貫通片（１１）は取付生地（３）を貫通して雄リング部材（２）の雄側挟持用平滑面（２２）で生地貫通片（１１）の先端をハトメ中央方向に傾倒してかしめると共に、雌側挟持用平滑面（１２）と雄側挟持用平滑面（２２）と先端がハトメ中央方向に傾倒してかしめられた生地貫通片（１１）の三者でもって取付生地（３）を面接触で挟持することを特徴とするハトメを、課題を解決するための手段とする。
【００１２】
【発明の効果】
本発明の請求項１によれば、一般的な雄リング部材と雌リング部材の外周端部によって取付生地を狭持して止着することに加えて、雌リング部材及び雄リング部材の双方の対向する位置に、取付生地を挟むための雄側狭持用平滑面及び雌側狭持用平滑面を円周状に形成し、雌側リング部材における前記雌側狭持用平滑面の側周縁部に連続して起立形成される複数の生地貫通片を設け、該生地貫通片は、その根元から中央近傍までは前記雌側挟持用平滑面に対して垂直に起立させ、該中央部近傍から先端にかけて僅かに内側へ傾倒した形状で、その生地貫通片は取付生地を貫通し、取付生地を雌雄リング部材で挟みこんでハトメを取付ける際に前記生地貫通片は取付生地を貫通して雄側狭持用平滑面に突き当たることによって、雄側狭持用平滑面に沿い、ハトメ中央方向に傾倒してかしめられ、これに伴って、雌側狭持用平滑面と、前記雄側狭持用平滑面とが、面接触で取付生地を挟みこむこととなる。
【００１３】
前記雄側狭持用平滑面によって前記生地貫通片をハトメ中央方向に傾倒してかしめるとともに、雄側狭持用平滑面と雌側狭持用平滑面とによって取付生地を面接触で十分に狭持することから、生地貫通片をハトメ中央方向に傾倒してかしめることにより、取付生地の相互が引張られる方向に、雄リング部材と雌リング部材の外周端部による生地の狭持力の限界を超える負荷が作用した場合であっても、生地貫通片から取付生地が外れることがなく、極めて強固にハトメを取付生地に対して止着することができ、ハトメ自体のズレや、雌雄リング部材相互の回転を防止することができる。
【００１４】
更に、生地貫通片がハトメ中央方向に傾倒してかしめられること、及び取付生地が前記雄側狭持用平滑面及び雌側狭持用平滑面というニ平滑面で挟みこまれることにより、取付生地を挟んだ状態で、全体として非常に嵩が低く抑えることができ、薄手で強度に優れたものとすることができる。
【００１５】
また、本発明の請求項２においては、雌リング部材（１）は、雌側狭持用平滑面（１２）の側周縁部（１４）から外側に連続して断面円弧状の補強周縁部（１３）を形成し、当該雌リング部材（１）を構成する金属板が二重に折り返されることがなく、全体として極めて薄手、軽量且つ強度の高いものとすることができる。
【００１６】
【発明の実施の形態及び実施例】
図１は本発明の実施例に係るハトメの組立状態を示す一部断面とした正面図、図２は同実施例に係るハトメの雌リング部材を示す平面図であり、図３は同実施例におけるハトメの生地取付状態を示す一部断面とした正面図、図４は同実施例に係るハトメにおける生地を省略した雌リング部材及び雄リング部材の分離状態を示す一部拡大断面図、図５は同雌リング部材及び雄リング部材の係合状態を示す一部拡大断面図である。
【００１７】
本発明の実施例に係るハトメは、図１乃至図５に示すように、外径５５ｍｍ程度の平板環状のフランジ部２０の基端２３から連続的に湾曲して環中心軸方向に幅４０ｍｍ程度の筒状の係合脚２１を形成した構成を有する真鍮製の雄側リング部材２と、
前記係合脚２１が嵌合する幅４１．５ｍｍ程度の係合孔１０を備えるとともに、前記雄リング部材２における平板環状のフランジ部２０の内面に対向する環状の雌側狭持用平滑面１２を形成し、該雌側狭持用平滑面１２の側周縁部１４に連続してプレス加工によって厚み０．４ｍｍ、最大幅２．５ｍｍ、高さ３ｍｍ程度の略二等辺三角形状の鋭利な生地貫通片１１を、当該雌側狭持用平滑面１２に沿って一定間隔で１２本起立形成し、外径５５ｍｍ程度とした真鍮製の雌リング部材２とからなるものである。
【００１８】
ここで、雄リング部材２は、そのフランジ部２０の内面に雄側狭持用平滑面２２を形成したことを特徴とするものであり、そのフランジ部２０の外周縁となる雄側外周縁部２５は、一般的なハトメと同様に、使用時の手指等に対する安全性等の観点から、プレスによって折返し形状としている。
【００１９】
一方、雌側リング部材１においては、全体が０．４ｍｍ厚の真鍮板をプレス加工することによって得られるものであり、リング状の雌側狭持用平滑面１２の外側には、当該雌側リング部材１を補強するための、断面略半円弧状の溝１７を形成した補強周縁部１３を連続して具備するとともに、前記雌狭持用平滑面１２の全周には、等間隔で、打抜きによって、十二箇所に生地貫通片１１と、該生地貫通片１１の形成により生ずる孔１５を設けたもので、更に、前記補強周縁部１３の外周縁となる雌側外周縁部１６のみについては、その厚みを０．２５ｍｍに形成した、軽量、薄手の形態を有するものである。
【００２０】
そして、前記生地貫通片１１は、その根元から中央部近傍までは前記雌側狭持用平滑面１２に対して垂直に起立させ、該中央部近傍から先端部にかけては僅かに内側へ傾倒した形状で、全体として前記したように、頂角を先端部とする略二等辺三角形状の鋭利なものとしている。
【００２１】
上記構成によって、取付生地を雌雄側リング部材１、２で挟みこんでハトメを取付ける際に、前記生地貫通片１１は、取付生地３を貫通して雄側狭持用平滑面２２に突き当たることによって、雄側狭持用平滑面に沿い、ハトメ中央方向に傾倒してかしめられ、これに伴って、雌側狭持用平滑面１２と、前記雄側狭持用平滑面２２とが、面で取付生地３を挟みこむこととなる。
【００２２】
そして、雄側リング部材２の係合脚２１が、雌側リング部材１の係合孔１０と嵌合した後、外側へ巻き込まれてかしめられ、前記雌側リング部材１の係合孔１０の周縁部を押さえこむことによって、当該ハトメが取付生地３に対して固着される。
【００２３】
更に、雄リング部材２のフランジ部２０における雄側外周縁部２５と、雌リング部材１の補強周縁部１３における雌側外周縁部１６とによって、取付生地３を挟み込むことにより、生地貫通片１１に対して外部からの負荷を軽減することができる。
【００２４】
尚、従来のハトメが手作業で取付を行うものであったのに対して、本実施例に係るハトメは、一般的なホック打機を利用して、半自動で取付を行うことができる点においても優れたものである。
【００２５】
また、本発明は、上記実施例に限られるものではなく、例えば、図示省略するが、雄リング部材のフランジにおける雄側狭持用平滑面と係合脚の連続部分を傾斜面として形成することによって、生地貫通片１１をかしめた際に、当該生地貫通片１１の先端部が雄側狭持用平滑面から前記傾斜面へ案内され、取付生地３を上方から押さえ込む形態とすることもでき、この場合には、更に強固に取付生地３が固定され、当該取付生地３のズレや、雌雄側リング部材１、２相互の回動をより効果的に防止することができる。
【００２６】
更に、本願発明においては、生地貫通片１１の数や生地貫通片１１相互の間隔等についても自由に設定することができるし、また、取付生地３は、実施例のように２枚重ねの場合に限らず、１枚生地又は３枚以上を挟みこむ場合でも使用することができる。
【００２７】
以上のように、本発明に係るハトメは、当該取付生地を生地貫通片１１によって貫通したのち、傾倒させることから、取付生地３の厚さに関わらず、当該取付生地のズレや外れを生ずることがなく、生地の取付強度を十分得ることができるからハトメ自体のズレや雌雄リング部材が相互に回動することもなく、薄手の取付生地にも安心して使用でき、はとめ自体の厚みも薄く形成することができる非常に優れたものである。
【図面の簡単な説明】
【図１】  本発明の実施例に係るハトメの組立状態を示す一部断面とした正面図である。
【図２】  本発明の実施例に係るハトメの雌リング部材を示す平面図である。
【図３】  本発明の実施例に係るハトメの生地取付状態を示す一部断面とした正面図である。
【図４】  本発明の実施例に係るハトメにおける、生地を省略した雌リング部材及び雄リング部材の分離状態を示す一部拡大断面図である。
【図５】  本発明の実施例に係るハトメにおける、生地を省略した雌リング部材及び雄リング部材の係合状態を示す一部拡大断面図である。
【図６】  先行技術１に係るハトメの組立状態を示す斜視図である。
【図７】  先行技術１の取付状態を示す斜視図である。
【符号の説明】
１      雌リング部材
１０    係合孔
１１    生地貫通片
１２    雌側狭持用平滑面
１３    補強周縁部
１４    側周縁部
１５    孔
１６    雌側外周縁部
１７    溝
２      雄リング部材
２０    フランジ部
２１    係合脚
２２    雄側狭持用平滑面
２３    基端
２５    雄側外周縁部
３      取付生地
９０    雌リング部材
９１    雄リング部材
９２    取付生地
９３    係合脚
９４    フランジ部
９５    嵌合孔
９６    外周縁部
９７    外周縁部
【図１】
0003932380.tif 000002
【図２】
0003932380.tif 000003
【図３】
0003932380.tif 000004
【図４】
0003932380.tif 000005
【図５】
0003932380.tif 000006
【図６】
0003932380.tif 000007
【図７】
0003932380.tif 000008